(57)【要約】【課題】撮影禁止場所におけるカメラ付き携帯端末装置による撮影を防止することができる撮影防止システムを提供することである。【解決手段】撮影禁止である被写体の近傍に設けたＢｌｕｅｔｏｏｔｈモジュールからのＢｌｕｅｔｏｏｔｈ通信の信号をカメラ付き携帯端末装置が受信することによって、前記カメラ付き携帯端末装置が該カメラ付き携帯端末装置のカメラ部による撮影ができないように制御する。【選択図】  図１
2004328475.tif 000002
【特許請求の範囲】
【請求項１】
撮影禁止である被写体の近傍に設けたＢｌｕｅｔｏｏｔｈモジュールからのＢｌｕｅｔｏｏｔｈ通信の信号をカメラ付き携帯端末装置が受信することによって、前記カメラ付き携帯端末装置が該カメラ付き携帯端末装置のカメラ部による撮影ができないように制御することを特徴とする撮影防止システム。
【請求項２】
前記ＢｌｕｅｔｏｏｔｈモジュールからのＢｌｕｅｔｏｏｔｈ通信の信号の到達範囲内に前記カメラ付き携帯端末装置が存在する限り、該カメラ付き携帯端末装置のカメラ部による撮影ができないようにする制御を維持することを特徴とする請求項１に記載の撮影防止システム。
【請求項３】
前記ＢｌｕｅｔｏｏｔｈモジュールからのＢｌｕｅｔｏｏｔｈ通信の信号の到達範囲から前記カメラ付き携帯端末装置が出た場合、該カメラ付き携帯端末装置のカメラ部による撮影ができないようにする制御を解除することを特徴とする請求項２に記載の撮影防止システム。
【請求項４】
前記Ｂｌｕｅｔｏｏｔｈモジュールを複数設けることによって、前記ＢｌｕｅｔｏｏｔｈモジュールからのＢｌｕｅｔｏｏｔｈ通信の信号の到達範囲を任意に拡大、縮小することができることを特徴とする請求項２または３に記載の撮影防止システム。
【請求項５】
前記カメラ付き携帯端末装置が、前記Ｂｌｕｅｔｏｏｔｈモジュールのうち複数のものからのＢｌｕｅｔｏｏｔｈ通信の信号を同時に受信可能な場合、該信号の受信レベルの大きさに基づいて、制御されるＢｌｕｅｔｏｏｔｈモジュールを選択することを特徴とする請求項４に記載の撮影防止システム。
【請求項６】
前記カメラ付き携帯端末装置のカメラ部による撮影ができないように制御されているとき、該カメラ付き携帯端末装置の表示部に撮影禁止被写体の情報を付加した画面を表示することを特徴とする請求項１に記載の撮影防止システム。
【請求項７】
カメラ付き携帯端末装置に対して該カメラ付き携帯端末装置のカメラ部による撮影ができないように制御する第１の信号を送信する第１のＢｌｕｅｔｏｏｔｈモジュールと、前記カメラ付き携帯端末装置に対して該カメラ付き携帯端末装置のカメラ部による撮影禁止を解除するように制御する第２の信号を送信する第２のＢｌｕｅｔｏｏｔｈモジュールとを備えたことを特徴とする撮影防止システム。
【請求項８】
前記カメラ付き携帯端末装置が、前記Ｂｌｕｅｔｏｏｔｈモジュールから館内見取り図サーバアクセス信号を受信し、これに基づいて館内見取り図サーバにアクセスすることによって該Ｂｌｕｅｔｏｏｔｈモジュールが設けられた館内を案内する情報を受信することを特徴とする請求項１に記載の撮影防止システム。
【請求項９】
前記カメラ付き携帯端末装置が、前記ＢｌｕｅｔｏｏｔｈモジュールからのＢｌｕｅｔｏｏｔｈ通信の信号の受信レベルに基づいて、該カメラ付き携帯端末装置のカメラ部のズーム機能を制御することを特徴とする請求項１に記載の撮影防止システム。
【請求項１０】
前記カメラ付き携帯端末装置が、前記Ｂｌｕｅｔｏｏｔｈモジュールから該Ｂｌｕｅｔｏｏｔｈモジュールが設けられた館内を案内する情報を受信することを特徴とする請求項１に記載の撮影防止システム。
【請求項１１】
前記館内を案内する情報が、写真撮影禁止場所、撮影可能場所を示すものであることを特徴とする請求項８または１０に記載の撮影防止システム。
【請求項１２】
前記カメラ付き携帯端末装置が該カメラ付き携帯端末装置の識別信号を前記Ｂｌｕｅｔｏｏｔｈモジュールに送信し、前記Ｂｌｕｅｔｏｏｔｈモジュールが前記カメラ付き携帯端末装置からの前記識別信号に基づいた該カメラ付き携帯端末装置を制御する信号を該カメラ付き携帯端末装置に送信することを特徴とする請求項１に記載の撮影防止システム。
【請求項１３】
前記識別信号が該カメラ付き携帯端末装置の画素数、音色数の情報であり、前記Ｂｌｕｅｔｏｏｔｈモジュールが受信した画素数および音色数の情報に適した画像データ、音声データを送信することを特徴とする請求項１２に記載の撮影防止システム。
【請求項１４】
前記カメラ付き携帯端末装置が、前記撮影禁止である被写体についての許可されたサンプル画像情報、その音声説明情報を得ることを特徴とする請求項１に記載の撮影防止システム。
【請求項１５】
カメラ部を有し、ＢｌｕｅｔｏｏｔｈモジュールからのＢｌｕｅｔｏｏｔｈ通信の信号を受信することによって、前記カメラ部による撮影ができないように制御することを特徴とするカメラ付き携帯端末装置。
【発明の詳細な説明】
【０００１】
【発明の属する技術分野】
本発明は、撮影防止システムに関し、カメラ付き携帯電話機等のカメラ付き携帯端末装置のカメラの使用を制限することによって撮影を防止する撮影防止システムに関する。
【０００２】
【従来の技術】
最近の携帯電話機等の携帯端末装置の発達およびその普及は目覚しく、このため、多くの人が携帯電話機を所有し、様々な場所で用いられることになる。こうなると、いままで携帯電話機がそれほど普及していなかった頃と比べて様々な問題が生じるようになってきた。
【０００３】
たとえば、公共の場所での携帯電話機の着信音や話し声は、他の人を不快にさせ迷惑をかける場合もあり、携帯電話機の使用の自粛を呼びかけているところもある。
【０００４】
また、携帯電話機では通話中でなくとも電源が入った状態であれば、着信の確認等のために電磁波の受発信をしており、この電磁波の医療機器等への影響も考えられ、携帯電話機の電磁波によって誤作動するおそれのある機器類の近くでは、携帯電話機の電源をＯＦＦにしておくことが望ましい。
【０００５】
このような状況下で、携帯電話機のユーザにおいては、携帯電話機の使用を禁じている場所であることを知らずに使用していたり、マナーの悪いユーザにあっては使用禁止を知っていてもあえて使用していたりなどということさえ有り得る。
【０００６】
そこで、このような問題への対策の一例として、特許文献１では携帯電話使用防止装置を開示している。
【０００７】
この特許文献１に記載の携帯電話使用防止装置は、携帯電話機の使用を禁止したい場所に設置され、携帯電話機から発せられる電磁波を受信した場合には、たとえば、音声によって、現在の場所が携帯電話機の使用禁止区域である旨を発声し、使用者に注意を促すようにしている。
【０００８】
【特許文献１】
特開平１１−９８５６４号公報
【発明が解決しようとする課題】
このように、携帯電話機の爆発的な普及とその多機能化にともない、様々な場面で、様々な問題が発生し得る状況となっている。
【０００９】
最近では、デジタル画像にて撮影可能なカメラを搭載した携帯電話機いわゆるカメラ付き携帯電話機が提供され、このカメラ付き携帯電話機の使用に対しても様々な問題が生じる状況となってきている。
【００１０】
たとえば、カメラ付き携帯電話機を所有しているユーザはそのカメラ付き携帯電話機を用いて簡単に撮影可能であるため、どこでも気軽に撮影できるようになり、撮影禁止場所での無断撮影の可能性も増えてくるという問題点があった。
【００１１】
上述の特許文献１に記載の発明では、携帯電話機の発する電磁波を検出してその使用の中止を促すことはできるが、その携帯電話機がカメラ付きであることまでは想定しておらず、そのカメラによる撮影を制限し、如何に撮影禁止場所での撮影を防止するかまでは検討されていないのが現状であった。
【００１２】
本発明は上記の点にかんがみてなされたもので、撮影禁止場所におけるカメラ付き携帯端末装置による撮影を防止することができる撮影防止システムを提供することを目的とする。
【００１３】
【課題を解決するための手段】
本発明は上記の目的を達成するために、Ｂｌｕｅｔｏｏｔｈ通信機能を有するカメラ付き携帯端末装置の所有者が、写真撮影禁止場所に入ったとき、近距離無線通信であるＢｌｕｅｔｏｏｔｈを用いて、カメラ付き携帯端末装置内のカメラ機能をロックさせ、所有者が写真撮影できないようにするシステムを提供する。
【００１４】
本発明によるカメラロック機能は、Ｂｌｕｅｔｏｏｔｈ信号の到達距離を考慮したものであり、カメラ付き携帯端末装置が、撮影禁止である被写体の側に置かれたマスター部であるＢｌｕｅｔｏｏｔｈモジュールから、カメラロックデータを入手し、カメラロックすることにより、撮影禁止被写体周辺でカメラ撮影をできなくする。また、Ｂｌｕｅｔｏｏｔｈ信号が到達可能な範囲であれば、カメラロック機能を維持することができ、撮影禁止の領域を制御することができる。
【００１５】
すなわち本発明は、撮影禁止である被写体の近傍に設けたＢｌｕｅｔｏｏｔｈモジュールからのＢｌｕｅｔｏｏｔｈ通信の信号をカメラ付き携帯端末装置が受信することによって、前記カメラ付き携帯端末装置が該カメラ付き携帯端末装置のカメラ部による撮影ができないように制御することを特徴とする。
【００１６】
また本発明は、前記ＢｌｕｅｔｏｏｔｈモジュールからのＢｌｕｅｔｏｏｔｈ通信の信号の到達範囲内に前記カメラ付き携帯端末装置が存在する限り、該カメラ付き携帯端末装置のカメラ部による撮影ができないようにする制御を維持することを特徴とする。
【００１７】
また本発明は、前記ＢｌｕｅｔｏｏｔｈモジュールからのＢｌｕｅｔｏｏｔｈ通信の信号の到達範囲から前記カメラ付き携帯端末装置が出た場合、該カメラ付き携帯端末装置のカメラ部による撮影ができないようにする制御を解除することを特徴とする。
【００１８】
また本発明は、前記Ｂｌｕｅｔｏｏｔｈモジュールを複数設けることによって、前記ＢｌｕｅｔｏｏｔｈモジュールからのＢｌｕｅｔｏｏｔｈ通信の信号の到達範囲を任意に拡大、縮小することができることを特徴とする。
【００１９】
また本発明は、前記カメラ付き携帯端末装置が、前記Ｂｌｕｅｔｏｏｔｈモジュールのうち複数のものからのＢｌｕｅｔｏｏｔｈ通信の信号を同時に受信可能な場合、該信号の受信レベルの大きさに基づいて、制御されるＢｌｕｅｔｏｏｔｈモジュールを選択することを特徴とする。
【００２０】
また本発明は、前記カメラ付き携帯端末装置のカメラ部による撮影ができないように制御されているとき、該カメラ付き携帯端末装置の表示部に撮影禁止被写体の情報を付加した画面を表示することを特徴とする。
【００２１】
また本発明は、カメラ付き携帯端末装置に対して該カメラ付き携帯端末装置のカメラ部による撮影ができないように制御する第１の信号を送信する第１のＢｌｕｅｔｏｏｔｈモジュールと、前記カメラ付き携帯端末装置に対して該カメラ付き携帯端末装置のカメラ部による撮影禁止を解除するように制御する第２の信号を送信する第２のＢｌｕｅｔｏｏｔｈモジュールとを備えたことを特徴とする。
【００２２】
また本発明は、前記カメラ付き携帯端末装置が、前記Ｂｌｕｅｔｏｏｔｈモジュールから館内見取り図サーバアクセス信号を受信し、これに基づいて館内見取り図サーバにアクセスすることによって該Ｂｌｕｅｔｏｏｔｈモジュールが設けられた館内を案内する情報を受信することを特徴とする。
【００２３】
また本発明は、前記カメラ付き携帯端末装置が、前記ＢｌｕｅｔｏｏｔｈモジュールからのＢｌｕｅｔｏｏｔｈ通信の信号の受信レベルに基づいて、該カメラ付き携帯端末装置のカメラ部のズーム機能を制御することを特徴とする。
【００２４】
また本発明は、前記カメラ付き携帯端末装置が、前記Ｂｌｕｅｔｏｏｔｈモジュールから該Ｂｌｕｅｔｏｏｔｈモジュールが設けられた館内を案内する情報を受信することを特徴とする。
【００２５】
また本発明は、前記館内を案内する情報が、写真撮影禁止場所、撮影可能場所を示すものであることを特徴とする。
【００２６】
また本発明は、前記カメラ付き携帯端末装置が該カメラ付き携帯端末装置の識別信号を前記Ｂｌｕｅｔｏｏｔｈモジュールに送信し、前記Ｂｌｕｅｔｏｏｔｈモジュールが前記カメラ付き携帯端末装置からの前記識別信号に基づいた該カメラ付き携帯端末装置を制御する信号を該カメラ付き携帯端末装置に送信することを特徴とする。
【００２７】
また本発明は、前記識別信号が該カメラ付き携帯端末装置の画素数、音色数の情報であり、前記Ｂｌｕｅｔｏｏｔｈモジュールが受信した画素数および音色数の情報に適した画像データ、音声データを送信することを特徴とする。
【００２８】
また本発明は、前記カメラ付き携帯端末装置が、前記撮影禁止である被写体についての許可されたサンプル画像情報、その音声説明情報を得ることを特徴とする。
【００２９】
また本発明は、カメラ付き携帯端末装置が、カメラ部を有し、ＢｌｕｅｔｏｏｔｈモジュールからのＢｌｕｅｔｏｏｔｈ通信の信号を受信することによって、前記カメラ部による撮影ができないように制御することを特徴とする。
【００３０】
【発明の実施の形態】
次に本発明の実施の形態について図面を参照して詳細に説明する。
【００３１】
図１は、本発明による撮影防止システムの第１の実施の形態の構成を示すブロック図である。
【００３２】
図１に示すように、この第１の実施の形態の撮影防止システムは、撮影禁止被写体１の近傍にＢｌｕｅｔｏｏｔｈモジュール２が設けられ、所有者４が携帯するカメラ付き携帯端末装置３を備えて構成される。
【００３３】
Ｂｌｕｅｔｏｏｔｈモジュール２はＢｌｕｅｔｏｏｔｈ規格（電子機器全般で応用可能な近距離無線通信規格）に準じた通信を行うことができる通信ができるように構成され、カメラ付き携帯端末装置３も、後述するようにＢｌｕｅｔｏｏｔｈモジュール１４を有し、Ｂｌｕｅｔｏｏｔｈ規格に準じた通信を行うことができるように構成される。
【００３４】
また、この第１の実施の形態において、カメラ付き携帯端末装置３がＢｌｕｅｔｏｏｔｈにおいて制御される側のスレイブ部であり、Ｂｌｕｅｔｏｏｔｈモジュール２がＢｌｕｅｔｏｏｔｈにおいて制御する側のマスター部である。
【００３５】
スレイブ部であるカメラ付き携帯端末装置３は、マスター部であるＢｌｕｅｔｏｏｔｈモジュール２からの信号を受信し、受信完了確認の信号をマスター部であるＢｌｕｅｔｏｏｔｈモジュール２に送信する機能を有する。
【００３６】
マスター部であるＢｌｕｅｔｏｏｔｈモジュール２は撮影禁止被写体１の近傍に設置され、スレイブ部であるカメラ付き携帯端末装置３に対して信号を送信し、カメラ付き携帯端末装置３が送信する受信完了確認信号を受信する機能を有する。
【００３７】
Ｂｌｕｅｔｏｏｔｈ信号到達範囲５は、マスター部であるＢｌｕｅｔｏｏｔｈモジュール２から送信されるＢｌｕｅｔｏｏｔｈ信号６によって、カメラ付き携帯端末装置３を制御できる範囲すなわち制御範囲である。
【００３８】
次に、カメラ付き携帯端末装置３の詳細構成について、図２を参照して説明する。
【００３９】
図２は、図１に示したカメラ付き携帯端末装置３の構成を示すブロック図である。
【００４０】
Ｃｅｎｔｒａｌ  Ｐｒｏｃｅｓｓｉｎｇ  Ｕｎｉｔ（以下「ＣＰＵ」と略す）１１は、カメラ付き携帯端末装置３全体の演算処理機能を有する。
【００４１】
Ｒｅａｄ  Ｏｎｌｙ  Ｍｅｍｏｒｙ（以下「ＲＯＭ」と略す）１２は、ＣＰＵ１１の制御プログラムを格納する機能を有する。
【００４２】
Ｒａｎｄｏｍ  Ａｃｃｅｓｓ  Ｍｅｍｏｒｙ（以下「ＲＡＭ」と略す）１３は、ＣＰＵ１１の作業領域となる機能を有する。
【００４３】
Ｂｌｕｅｔｏｏｔｈモジュール１４は、Ｂｌｕｅｔｏｏｔｈ信号アンテナを含むＢｌｕｅｔｏｏｔｈ無線部１５と、その信号をデータに変換するＢｌｕｅｔｏｏｔｈデコーダ部１６とから成り、マスター部であるＢｌｕｅｔｏｏｔｈモジュール２からの信号を取得する。
【００４４】
カメラ制御部１７では、Ｂｌｕｅｔｏｏｔｈモジュール１４で得られた、マスター部であるＢｌｕｅｔｏｏｔｈモジュール２から送信された信号に基づいて、カメラ部１８のＯＮ、ＯＦＦを制御する機能を有する。
【００４５】
表示部１９は、カメラ撮影時の写真を表示させる等の機能を有する。
【００４６】
音源部２０は、音声情報を制御し、音を出す機能を有する。
【００４７】
次に、各構成間の関係について説明する。
【００４８】
カメラ付き携帯端末装置３のＢｌｕｅｔｏｏｔｈモジュール１４は、マスター部であるＢｌｕｅｔｏｏｔｈモジュール２から送信された２つの信号の受信を行う。
【００４９】
１つ目の信号は、撮影禁止領域内にカメラ付き携帯端末装置３が進入しているか確認するための信号である（以下、簡単のため、「撮影禁止領域内進入信号」と略す）。２つ目の信号は、カメラ部１８をロックするデータ信号（以下、「カメラロック信号」とも言う）である。
【００５０】
そして、カメラ付き携帯端末装置３ではこれらの信号を受信した際に、それらに対する受信完了確認信号をマスター部である￥Ｂｌｕｅｔｏｏｔｈモジュール２に対して送信する。
【００５１】
カメラ付き携帯端末装置３のカメラ制御部１７では、Ｂｌｕｅｔｏｏｔｈモジュール１４で得られたカメラロック信号に基づいて、ＣＰＵ１１で動作するプラグラムに従って、カメラ部１８のＯＮ、ＯＦＦを制御する。
【００５２】
次に、図３のフローチャートを参照して、第１の実施の形態の動作について詳細に説明する。
【００５３】
図３は、本発明による撮影防止システムの第１の実施の形態の動作のフローチャートを示す図である。
【００５４】
初めに、図４に示すように、カメラ付き携帯端末装置３の所有者４が、撮影禁止領域外の場合（すなわちカメラ付き携帯端末装置３がＢｌｕｅｔｏｏｔｈ信号到達範囲５の外部にある場合）には、マスター部であるＢｌｕｅｔｏｏｔｈモジュール２は、撮影禁止領域内進入信号を送信し続けている状態である。
【００５５】
次に、図５に示すように、カメラ付き携帯端末装置３の所有者４が、撮影禁止領域内に進入した場合（すなわちカメラ付き携帯端末装置３がＢｌｕｅｔｏｏｔｈ信号到達範囲５の内部に入ってきた場合）には、カメラ付き携帯端末装置３がマスター部であるＢｌｕｅｔｏｏｔｈモジュール２からの撮影禁止領域内進入信号を受信する（ステップＡ１）。
【００５６】
そして、スレイブ部であるカメラ付き携帯端末装置３は、撮影禁止領域内進入信号に対する応答である受信完了確認信号をＢｌｕｅｔｏｏｔｈモジュール１４からマスター部であるＢｌｕｅｔｏｏｔｈモジュール２に対して送信する（ステップＡ２）。
【００５７】
次に、カメラ付き携帯端末装置３が、マスター部であるＢｌｕｅｔｏｏｔｈモジュール２からのカメラロックデータすなわちカメラロック信号を受信し（ステップＡ３）、カメラロック信号に対する応答である受信完了確認信号をマスター部であるＢｌｕｅｔｏｏｔｈモジュール２に対して送信する（ステップＡ４）。
【００５８】
カメラ付き携帯端末装置３では、ステップＡ３で得られたカメラロックデータに基づき、ＣＰＵ１１で動作するプログラムに従って、カメラ制御部１７でカメラ部１８をロックする（ステップＡ５）。
【００５９】
スレイブ部であるカメラ付き携帯端末装置３が撮影禁止領域内にいる場合、カメラ付き携帯端末装置３では、繰り返し、マスター部であるＢｌｕｅｔｏｏｔｈモジュール２とカメラロックデータの送受信の通信を行う。
【００６０】
最後に、図６に示すように、カメラ付き携帯端末装置３の所有者４が、撮影禁止領域内から出た場合（すなわちカメラ付き携帯端末装置３がＢｌｕｅｔｏｏｔｈ信号到達範囲５の外部に出た場合）、カメラ付き携帯端末装置３が、マスター部であるＢｌｕｅｔｏｏｔｈモジュール２からの撮影禁止領域内進入信号またはカメラロック信号を受信できなくなり、この場合には、カメラ部１８のロックは解除され、通常のカメラ撮影ができるようになる（ステップＡ６）。
【００６１】
次に、本発明による撮影防止システムの第２の実施の形態について説明する。
【００６２】
この第２の実施の形態は、より広範囲な撮影禁止領域でのカメラロック制御を可能にするものである。
【００６３】
図７は、本発明による撮影防止システムの第２の実施の形態の構成を示すブロック図である。
【００６４】
この第２の実施の形態では、図１に示した第１の実施の形態と違って、Ｂｌｕｅｔｏｏｔｈモジュール（以下「ＢＴ」と略す）２１からＢＴ２９の複数のマスター部であるＢｌｕｅｔｏｏｔｈモジュールを用いて、カメラ付き携帯端末装置３のカメラ部１８の使用許可を広範囲にわたって制御する。
【００６５】
なお、カメラ付き携帯端末装置３の構成は、第１の実施の形態において図２に示したものと同様なのでここでは省略する。
【００６６】
図８は、図７に示したＢＴ２４およびＢＴ２５の周辺を拡大して示す図である。
【００６７】
ここで、図８に示すように、ＢＴ２４とＢＴ２５の周辺において、カメラ付き携帯端末装置３の所有者４が、マスター部であるＢＴ２４の制御範囲からやはりマスター部であるＢＴ２５の制御範囲に移動する場合についての制御方法について述べる。
【００６８】
次に、図９のフローチャートを参照して、第２の実施の形態の動作について詳細に説明する。
【００６９】
図９は、本発明による撮影防止システムの第２の実施の形態の動作のフローチャートを示す図である。
【００７０】
まず、カメラ付き携帯端末装置３の所有者４がＢＴ２４の制御範囲にいるとき、カメラ付き携帯端末装置３は、ＢＴ２４からのカメラロックデータによってカメラロック状態である（ステップＢ１）。
【００７１】
次に、カメラ付き携帯端末装置３の所有者４が、ＢＴ２５の方向に移動すると、カメラ付き携帯端末装置３ではＢＴ２５からの信号も受信することができる範囲へと入ることになる。
【００７２】
このようにカメラ付き携帯端末装置３の所有者４が移動している状態において、ＢＴ２４からの信号がＢＴ２５からの信号よりも強い場合には、カメラ付き携帯端末装置３は引き続きＢＴ４からのカメラロックデータによってカメラロック状態になるよう制御される（ステップＢ１）。
【００７３】
また、ステップＢ２において、ＢＴ２４からの信号がＢＴ２５からの信号よりも弱い場合には、ＢＴ２５がＢＴ２４に切り替わってカメラ付き携帯端末装置３のカメラ部１８のロック制御を行う（ステップＢ３）。
【００７４】
このように制御することによって、広範囲な撮影禁止領域でのカメラロック制御が可能となる。
【００７５】
次に、本発明による撮影防止システムの第３の実施の形態について説明する。
【００７６】
なお、この第３の実施の形態の撮影防止システムの構成を示すブロック図は図１と同様であり、この第３の実施の形態におけるカメラ付き携帯端末装置３の構成は図２と同様なのでここでは省略する。
【００７７】
この第３の実施の形態において前述の第１の実施の形態と違う点の１つ目は、図２に示したカメラ付き携帯端末装置３の表示部１９によって、カメラ付き携帯端末装置３の所有者４に対してカメラロックに関する情報表示を行うようにした点にある。
【００７８】
図１０は、本発明による撮影防止システムの第３の実施の形態において、カメラ付き携帯端末装置３の表示部１９の表示内容の一例を示す図である。
【００７９】
ＢＴ２からのカメラロックデータに基づいてカメラ付き携帯端末装置３のカメラ部１８がロックされ、所有者４がカメラ部１８を使用できない場合、所有者４がカメラ付き携帯端末装置３の故障であると誤解するおそれがある。そこでこの第３の実施の形態では、カメラ付き携帯端末装置３の表示部１９に、現在カメラ部１８が使用できない旨およびその理由を表示する。
【００８０】
図１１は、本発明による撮影防止システムの第３の実施の形態の動作のフローチャートを示す図である。
【００８１】
まず、カメラ付き携帯端末装置３の所有者４は、カメラ付き携帯端末装置３のカメラ部１８を使用するため、カメラ付き携帯端末装置３のカメラモードを立ち上げる（ステップＣ１）。
【００８２】
このとき、もしカメラロックデータを受信していない状態であれば、カメラ付き携帯端末装置３の表示部１９は、通常のカメラ撮影画面になる（ステップＣ２、ステップＣ３）。
【００８３】
一方、カメラロックデータを受信しているのであれば、ＣＰＵ１１のプログラムに従って、図１０に示すような、現在カメラ部１８が使用できない旨およびその理由を、カメラ付き携帯端末装置３の表示部１９に表示する（ステップＣ４）。
【００８４】
なお、現在カメラ部１８が使用できない理由は、その制御をしているＢＴから受信するようにしてもよい。
【００８５】
この第３の実施の形態において前述の第１の実施の形態と違う点の２つ目は、現在カメラ部１８が使用できない理由は、その制御をしているＢＴから受信するようにした点にある。
【００８６】
図１２は、本発明による撮影防止システムの第３の実施の形態において、現在カメラ部１８が使用できない理由を、マスター部であるＢｌｕｅｔｏｏｔｈモジュールから取得する場合の構成を示すブロック図である。
【００８７】
図１２に示す例では、マスター部であるＢｌｕｅｔｏｏｔｈモジュール５１からカメラ付き携帯端末装置３に対して、ロック信号すなわちカメラロックデータとともに、撮影禁止の被写体の情報が送信されるようにしている。
【００８８】
これを受信したカメラ付き携帯端末装置３では、図１１のステップＣ４において受信した情報を用いて表示を行うことができ、所有者４は、リアルタイムなカメラロック情報を得ることができ、所有者４に対してより親切なシステムを提供することができる。
【００８９】
次に、本発明による撮影防止システムの第４の実施の形態について説明する。
【００９０】
図１３は、本発明による撮影防止システムの第４の実施の形態の構成を示すブロック図である。
【００９１】
この第４の実施の形態の撮影防止システムは、カメラロック解除信号を送信するためのマスター部であるＢｌｕｅｔｏｏｔｈモジュールを設けた点を特徴とする。
【００９２】
図１３に示すように、この第４の実施の形態では、撮影禁止領域が部屋６４全体であり、カメラ付き携帯端末装置６１の所有者６２がドア６３から部屋６４に進入、退出する場合について説明する。
【００９３】
図１３において、ＢＴ＿Ｌ６６はカメラロック信号を送信するＢｌｕｅｔｏｏｔｈロック信号モジュールであり、ＢＴ＿ＵＬ６５はカメラロック解除信号を送信するＢｌｕｅｔｏｏｔｈロック解除信号モジュールである。
【００９４】
Ｂｌｕｅｔｏｏｔｈロック信号モジュール（以下「ＢＴ＿Ｌ」と略す）６６は、制御する側のマスター部であり、ドア６３付近の部屋６４内に設置されている。このＢＴ＿Ｌ６６は、スレイブ部であるカメラ付き携帯端末装置６１にカメラロック信号を送信し、これに応答してカメラ付き携帯端末装置６１が送信する受信完了確認信号を受信する機能を有する。
【００９５】
Ｂｌｕｅｔｏｏｔｈロック解除信号モジュール（以下「ＢＴ＿ＵＬ」と略す）６５は、制御する側のマスター部であり、ドア６３付近の部屋６４外に設置されている。このＢＴ＿ＵＬ６５は、スレイブ部であるカメラ付き携帯端末装置６１にカメラロック解除信号を送信し、これに応答してカメラ付き携帯端末装置６１が送信する受信完了確認信号を受信する機能を有する。
【００９６】
なお、カメラ付き携帯端末装置６１の詳細構成は、第１の実施の形態において図２に示したものと同様であるので、ここでは省略する。
【００９７】
次に、図１４のフローチャートを参照して、第４の実施の形態の動作について詳細に説明する。
【００９８】
図１４は、本発明による撮影防止システムの第４の実施の形態の動作のフローチャートを示す図である。
【００９９】
まず、図１５に示すようにカメラ付き携帯端末装置６１の所有者６２が部屋６４に進入すると（ステップＤ１）、カメラ付き携帯端末装置６１は、ＢＴ＿Ｌ６６からのカメラロック信号を受信し（ステップＤ２）、ステップＤ２で受信した信号に対する受信完了確認信号をＢＴ＿Ｌ６６に対して送信する（ステップＤ３）。
【０１００】
また、カメラ付き携帯端末装置６１は、ステップＤ２で受信したカメラロックデータに基づいて、ＣＰＵ１１で動作するプログラムに従って、カメラ制御部１７でカメラ部１８をロックする（ステップＤ４）。
【０１０１】
次に、図１６に示すようにカメラ付き携帯端末装置６１の所有者６２が部屋を退出すると（ステップＤ５）、カメラ付き携帯端末装置６１は、ＢＴ＿ＵＬ６５からのカメラロック解除信号を受信し（ステップＤ６）、ステップＤ６で受信した信号に対する受信完了確認信号をＢＴ＿ＵＬ６５に対して送信する（ステップＤ７）。
【０１０２】
また、カメラ付き携帯端末装置６１は、ステップＤ６で受信したカメラロック解除データに基づいて、ＣＰＵ１１で動作するプログラムに従って、カメラ制御部１７でロックされているカメラ部１８のロックを解除する（ステップＤ８）。
【０１０３】
この第４の実施の形態のように構成することによって、マスター部であるモジュールとスレーブ部であるカメラ付き携帯端末装置とのＢｌｕｅｔｏｏｔｈ信号通信は、そのエリアへの進入時、および、そのエリアからの退出時のみとすることができ、マスター部であるモジュールによる制御対象のカメラ付き携帯端末装置の数を増加させることができる。
【０１０４】
また、図１７に示すように、ドア７２、ドア７３、ドア７４とドアが複数ある場合に関しても、上記と同様に、ドア付近にＢｌｕｅｔｏｏｔｈロック信号モジュールとＢｌｕｅｔｏｏｔｈロック解除信号モジュールとを設置し、部屋７１内でカメラ付き携帯端末装置のカメラ部の使用ができないようカメラロック制御を行うことができる。
【０１０５】
次に、本発明による撮影防止システムの第５の実施の形態について説明する。
【０１０６】
図１８は、本発明による撮影防止システムの第５の実施の形態の構成を示すブロック図である。
【０１０７】
この第５の実施の形態の撮影防止システムは、カメラ付き携帯端末装置の所有者が美術館等に進入した場合に、カメラ付き携帯端末装置が、美術館等のたとえば入り口付近に設置されたマスター部であるＢｌｕｅｔｏｏｔｈモジュールからのデータによってインターネット上へアクセスし、写真撮影禁止、撮影可能な場所情報が付加された美術館等の館内見取り図を表示するものである。
【０１０８】
図１９は、本発明による撮影防止システムの第５の実施の形態の詳細な構成を示すブロック図である。
【０１０９】
この図１９は、カメラ付き携帯端末装置９１の所有者９２が館内へ入場する際の詳細図である。
【０１１０】
ＢＴ（Ｂｌｕｅｔｏｏｔｈモジュール）９３は、カメラ付き携帯端末装置９１を撮影禁止場所見取り図情報があるサーバへアクセスさせるデータを送信する機能を有する。
【０１１１】
図２０は、図１９に示したカメラ付き携帯端末装置９１の構成を示すブロック図である。
【０１１２】
この第５の実施の形態において前述の第１の実施の形態と違う点は、図２０に示すように、カメラ付き携帯端末装置９１が、インターネット接続するための無線部１２０を有する点である。
【０１１３】
ここで、図１９に示したカメラ付き携帯端末装置９１とインターネット網との関係を図２１を参照して説明する。
【０１１４】
図２１は、本発明による撮影防止システムの第５の実施の形態においてカメラ付き携帯端末装置９１とインターネット網との関係を示すブロック図である。
【０１１５】
館内見取り図サーバ１０５は、館内の見取り図情報および写真撮影禁止、撮影可能な場所情報を備えている。このサーバ１０５のデータをカメラ付き携帯端末装置９１（図２１においてはＢＴ端末装置１００と示している）が、基地局１０１、パケット網１０２、パケット網ゲートウェイ１０３、インターネット１０４を介して取得する。
【０１１６】
次に、図２２のフローチャートを参照して、第５の実施の形態の動作について詳細に説明する。
【０１１７】
図２２は、本発明による撮影防止システムの第５の実施の形態の動作のフローチャートを示す図である。
【０１１８】
まず、図１９に示すようにカメラ付き携帯端末装置９１の所有者９２が館内進入すると（ステップＥ１）、カメラ付き携帯端末装置９１はＢＴ（Ｂｌｕｅｔｏｏｔｈモジュール）９３からの館内見取り図サーバアクセス信号を受信し（ステップＥ２）、このステップＥ２で受信した信号に対する応答である受信完了確認信号をＢＴ９３に対して送信する（ステップＥ３）。
【０１１９】
続いて、カメラ付き携帯端末装置９１は、ステップＥ２で受信した館内見取り図サーバアクセス信号のデータに基づいて、ＣＰＵ１１で動作するプログラムに従って、無線部１２０を用いて、館内見取り図サーバ１０５へアクセスする（ステップＥ４）。
【０１２０】
また、カメラ付き携帯端末装置９１は、無線部１２０を用いて、写真撮影禁止場所、撮影可能場所情報が付加された館内見取り図データを入手し（ステップＥ５）、表示部１９で表示させる（ステップＥ６）。
【０１２１】
このようにすることによって、この第５の実施の形態によれば、美術館等への入場時に、カメラ付き携帯端末装置の所有者に対して、写真撮影禁止場所、撮影可能場所等のを自動的に知らせることが可能となる。
【０１２２】
次に、本発明による撮影防止システムの第６の実施の形態について説明する。
【０１２３】
図２３は、本発明による撮影防止システムの第６の実施の形態の構成を示すブロック図である。
【０１２４】
なお、カメラ付き携帯端末装置３の構成は、第１の実施の形態において図２に示したものと同様なのでここでは省略する。
【０１２５】
この第６の実施の形態の撮影防止システムは、マスター部であるＢｌｕｅｔｏｏｔｈモジュール２からの信号をカメラ付き携帯端末装置３で受信し、カメラ付き携帯端末装置３ではこの受信信号の受信レベルの大きさに基づいて異なった制御を行う点を特徴とする。
【０１２６】
ＢＴ２から送信されるＢｌｕｅｔｏｏｔｈ信号はＢＴ２から離れるほど弱まり、本実施の形態では、図２３に示す禁止領域１１１および禁止領域１１２の２つの領域の境におけるＢＴ２から送信されるＢｌｕｅｔｏｏｔｈ信号の大きさをしきい値としてカメラ付き携帯端末装置３に予め保持し、カメラ付き携帯端末装置３で実際に受信したＢＴ２からの信号の大きさがこのしきい値よりも大きいか、小さいかによって、カメラ付き携帯端末装置３が今存在する領域が禁止領域１１１であるか、禁止領域１１２であるかを判別し、その領域に応じて予め定めた制御を行う。ここでは、一例として禁止領域１１１での受信レベルは所定のしきい値Ａ以下、禁止領域１１２での受信レベルは所定のしきい値Ａより大きいものとする。
【０１２７】
たとえば、カメラ付き携帯端末装置３が存在する領域が禁止領域１１１の場合には、ズームアップしての撮影を禁止するためのカメラズーム制御を行い、カメラ付き携帯端末装置３が存在する領域が禁止領域１１２の場合には、カメラによる撮影すべてを禁止するためのカメラロック制御を行う。
【０１２８】
次に、図２４のフローチャートを参照して、第６の実施の形態の動作について詳細に説明する。
【０１２９】
図２４は、本発明による撮影防止システムの第６の実施の形態の動作のフローチャートを示す図である。
【０１３０】
初めに、カメラ付き携帯端末装置３の所有者４が撮影禁止領域内に進入すると、カメラ付き携帯端末装置３はマスター部であるＢｌｕｅｔｏｏｔｈモジュール２からの撮影禁止領域内進入信号を受信し（ステップＦ１）、スレイブ部であるカメラ付き携帯端末装置３は、この受信信号に対する応答である受信完了確認信号をマスター部であるＢｌｕｅｔｏｏｔｈモジュール２に対して送信する（ステップＦ２）。
【０１３１】
カメラ付き携帯端末装置３は、マスター部であるＢｌｕｅｔｏｏｔｈモジュール２からの、ステップＦ２で受信した受信信号の受信レベルを調べる（ステップＦ３）。
【０１３２】
ステップＦ３において、ステップＦ２で受信した信号の受信レベルが予め定めたしきい値Ａ以下である場合には、カメラ付き携帯端末装置３は、マスター部であるＢｌｕｅｔｏｏｔｈモジュール２からのカメラズーム制御データを受信し（ステップＦ４）、ステップＦ４で受信した信号に対する応答である受信完了確認信号をマスター部であるＢｌｕｅｔｏｏｔｈモジュール２に対して送信する（ステップＦ５）。
【０１３３】
カメラ付き携帯端末装置３は、ステップＦ４で得たカメラズーム制御データに基づき、ＣＰＵ１１で動作するプログラムに従って、カメラ制御部１７でカメラ部１８のズーム機能を使えないよう制御する。
【０１３４】
一方、ステップＦ３において、ステップＦ２で受信した信号の受信レベルが予め定めたしきい値Ａより大きい場合には、カメラ付き携帯端末装置３は、マスター部であるＢｌｕｅｔｏｏｔｈモジュール２からのカメラロックデータを受信し（ステップＦ６）、ステップＦ６で受信した信号に対する応答である受信完了確認信号をマスター部であるＢｌｕｅｔｏｏｔｈモジュール２に対して送信する（ステップＦ７）。
【０１３５】
カメラ付き携帯端末装置３は、ステップＦ６で得たカメラロックデータに基づき、ＣＰＵ１１で動作するプログラムに従って、カメラ制御部１７でカメラ部１８をロック制御する。
【０１３６】
以上のような動作を繰り返し、カメラ付き携帯端末装置３の所有者４が撮影禁止領域から退出すると、カメラ付き携帯端末装置３がＢＴ２からの信号を受信可能な範囲から出て（ステップＦ１）、カメラ部１８のロックおよびズーム機能の使用禁止が解除される（ステップＦ８）。
【０１３７】
このように構成することによって、カメラ付き携帯端末装置３の所有者４は、カメラ制御されている状態であっても、撮影禁止被写体１から離れていれば（すなわち禁止領域１１１においては）、ズームを使わない周辺の撮影は可能となる。
【０１３８】
次に、本発明による撮影防止システムの第７の実施の形態について説明する。
【０１３９】
なお、この第７の実施の形態の構成を示すブロック図は、第５の実施の形態において参照した図１９と同様であるので、ここでは説明を省略する。
【０１４０】
また、この第７の実施の形態におけるカメラ付き携帯端末装置９１の構成は、第１の実施の形態において図２に示したカメラ付き携帯端末装置３と同様なのでここでは省略する。
【０１４１】
この第７の実施の形態は、第５の実施の形態と違って、カメラ付き携帯端末装置９１が、インターネット接続可能エリアの圏外状態であっても館内見取り図情報等を閲覧できるものである。
【０１４２】
次に、図２５のフローチャートを参照して、第７の実施の形態の動作について詳細に説明する。
【０１４３】
図２５は、本発明による撮影防止システムの第７の実施の形態の動作のフローチャートを示す図である。
【０１４４】
まず、カメラ付き携帯端末装置９１の所有者９２が館内に進入すると（ステップＧ１）、カメラ付き携帯端末装置９１はＢｌｕｅｔｏｏｔｈモジュール９３からの館内見取り図サーバアクセス信号を受信する（ステップＧ２）。
【０１４５】
このとき、カメラ付き携帯端末装置９１が圏外（インターネット接続可能エリアの圏外）状態でなければ（ステップＧ３）、カメラ付き携帯端末装置９１は、第５の実施の形態の図２２のステップＥ３〜ステップＥ６と同様に、インターネット接続によって、館内見取り図データを入手し、表示させる（ステップＧ４〜ステップＧ７）。
【０１４６】
一方、ステップＧ３においてカメラ付き携帯端末装置９１が圏外（インターネット接続可能エリアの圏外）状態であるならば、カメラ付き携帯端末装置９１は、圏外情報信号をＢｌｕｅｔｏｏｔｈモジュール９３に対して送信する（ステップＧ８）。これを受けたＢｌｕｅｔｏｏｔｈモジュール９３は、Ｂｌｕｅｔｏｏｔｈ通信によって、カメラ付き携帯端末装置９１に対してＢｌｕｅｔｏｏｔｈモジュール９３が持っている館内見取り図データを送信する。
【０１４７】
カメラ付き携帯端末装置９１では、Ｂｌｕｅｔｏｏｔｈ通信によって、Ｂｌｕｅｔｏｏｔｈモジュール９３から館内見取り図データを受信し（ステップＧ９、ステップＧ１０）、ステップＧ１０で得られた館内見取り図データを表示部１９に表示させる。
【０１４８】
ここで、カメラ付き携帯端末装置９１がＢｌｕｅｔｏｏｔｈ通信によって得られる情報としては、館内案内画像情報や館内案内音声情報をも含む。この場合は、カメラ付き携帯端末装置９１が、マスター部であるＢｌｕｅｔｏｏｔｈモジュール９３から得られる画像データ、音声データを表示部１９、音源部２０によって所有者９２に対して提供し、所有者９２はこれによってバラエティに富んだ館内案内画像情報や館内案内音声情報を得ることができる。
【０１４９】
このように構成することによって、カメラ付き携帯端末装置９１がインターネット接続可能エリアの圏外状態であっても、入場時に、カメラ付き携帯端末装置９１の所有者９２に対して、写真撮影禁止、撮影可能場所、館内案内情報等を、自動的に知らせることが可能となる。
【０１５０】
次に、本発明による撮影防止システムの第８の実施の形態について説明する。
【０１５１】
図２６は、本発明による撮影防止システムの第８の実施の形態の構成を示すブロック図である。
【０１５２】
この第８の実施の形態の撮影防止システムは、機能が異なる複数のカメラ付き携帯端末装置が存在する場合に、それぞれの機能に応じた制御が可能である点を特徴とする。
【０１５３】
この第８の実施の形態が第１の実施の形態と違う点は、スレイブ部であるカメラ付き携帯端末装置のそれぞれが、マスター部であるＢｌｕｅｔｏｏｔｈモジュール１４２からの撮影禁止領域内進入信号を受信し（図３のステップＡ１に相当）、この撮影禁止領域内進入信号に対する応答である受信完了確認信号をＢｌｕｅｔｏｏｔｈモジュール１４２に対して送信する（図３のステップＡ２に相当）際に、この受信完了確認信号とともに、当該カメラ付き携帯端末装置が搭載しているカメラの情報、画素数、音色数等の携帯端末情報が分かる識別信号を、マスター部であるＢｌｕｅｔｏｏｔｈモジュール１４２に対して送信して通知し、そのカメラ付き携帯端末装置の機能に適した情報（たとえば撮影禁止被写体に関する情報や、室内、館内の案内に関する情報、さらにそのカメラ付き携帯端末装置のズーム制御に関する情報等）をＢｌｕｅｔｏｏｔｈモジュール１４２から取得できるようにした点である。
【０１５４】
このため、Ｂｌｕｅｔｏｏｔｈモジュール１４２では、各カメラ付き携帯端末装置の携帯端末識別信号に対応して、そのカメラ付き携帯端末装置の機能に適した情報（たとえば撮影禁止被写体に関する情報や、室内、館内の案内に関する情報、さらにそのカメラ付き携帯端末装置のズーム制御に関する情報等）を予め記憶しておき、必要に応じてカメラ付き携帯端末装置に対して送信する機能を有する。
【０１５５】
図２７は、図２６に示したカメラ付き携帯端末装置１４０、１４１の構成を示すブロック図である。
【０１５６】
この第８の実施の形態において、上述した第１の実施の形態の図２と違う点は、各カメラ付き携帯端末装置が、当該装置の有する機能を示す携帯端末情報を予め記憶した端末情報記憶領域１５１をさらに備えた点である。
【０１５７】
この第８の実施の形態の動作については、第１の実施の形態の動作について示した図３のフローチャートを参照することができる。
【０１５８】
まず、各カメラ付き携帯端末装置がマスター部であるＢｌｕｅｔｏｏｔｈモジュール１４２からの撮影禁止領域内進入信号を受信する（図３のステップＡ１に相当）と、この撮影禁止領域内進入信号に対する応答である受信完了確認信号とともに当該カメラ付き携帯端末装置の携帯端末情報が分かる携帯端末識別信号を、Ｂｌｕｅｔｏｏｔｈモジュール１４２に対して送信する（図３のステップＡ２に相当）。
【０１５９】
次に、図３のステップＡ３に相当するステップにおいて、当該カメラ付き携帯端末装置は、Ｂｌｕｅｔｏｏｔｈモジュール２からのカメラロックデータすなわちカメラロック信号とともに、当該携帯端末識別信号に対応した情報を受信する。その他の動作は第１の実施の形態と同様なので、ここでは詳しい説明は省略する。
【０１６０】
このように構成することによって、上述の第６の実施の形態のようなズーム制御を行う際には、当該カメラ付き携帯端末装置の内蔵カメラが３段階ズームの場合は、３段階のズーム制御を行い、４段階ズームの場合は、４段階のズーム制御を行うというような、それぞれの機能に応じた制御が可能となる。
【０１６１】
また、上述の第７の実施の形態に示すようなカメラ付き携帯端末装置が館内案内情報である画像データ、音声データを受信する際には、当該カメラ付き携帯端末装置の画素数、音色数に適した画像データ、音声データを受信することが可能となる。
【０１６２】
次に、本発明による撮影防止システムの第９の実施の形態について説明する。
【０１６３】
なお、この第９の実施の形態の構成を示すブロック図は、第１の実施の形態において参照した図１と同様であるので、ここでは説明を省略する。
【０１６４】
この第９の実施の形態では、上述の第１の実施の形態のように単に撮影禁止になるだけではなく、撮影禁止状態時に、撮影禁止被写体の画像情報、音声情報を得ることができるものである。その構成は、マスター部であるＢｌｕｅｔｏｏｔｈモジュール２がカメラ付き携帯端末装置内の無線部（インターネット接続のための無線部）を制御するデータを送信することにより、撮影禁止領域内でカメラ付き携帯端末装置３を圏外（インターネット接続可能エリアの圏外）状態にし、当該カメラ付き携帯端末装置にＢｌｕｅｔｏｏｔｈ通信のみ行わせ、マスター部であるＢｌｕｅｔｏｏｔｈモジュール２から当該撮影禁止被写体１についての画像情報、および音声情報をカメラ付き携帯端末装置３が受信するというものである。
【０１６５】
図３２は、第９の実施の形態におけるカメラ付き携帯端末装置３の構成を示すブロック図である。
【０１６６】
この第９の実施の形態において第１の実施の形態の図２の構成と違う点は、図３２に示すようにインターネット接続のための無線部１３１を圏外とするよう制御する無線制御部１３２をさらに備えた点である。
【０１６７】
次に、図３１のフローチャートを参照して、第９の実施の形態の動作について詳細に説明する。
【０１６８】
図３１は、本発明による撮影防止システムの第９の実施の形態の動作のフローチャートを示す図である。
【０１６９】
初めに、図２８に示すようにカメラ付き携帯端末装置３の所有者４が撮影禁止領域５の外の場合は、マスター部であるＢｌｕｅｔｏｏｔｈモジュール２が、撮影禁止領域内進入信号を送信し続けている状態であり、カメラ付き携帯端末装置３は、携帯端末無線信号１２１を受ける圏内状態である。
【０１７０】
次に、図２９に示すようにカメラ付き携帯端末装置３の所有者４が撮影禁止領域５内に進入した場合は、カメラ付き携帯端末装置３がマスター部であるＢｌｕｅｔｏｏｔｈモジュール２からの撮影禁止領域内進入信号を受信し（ステップＨ１）、スレイブ部であるカメラ付き携帯端末装置３は、撮影禁止領域内進入信号に対する応答である受信完了確認信号をマスター部であるＢｌｕｅｔｏｏｔｈモジュール２に対して送信する（ステップＨ２）。
【０１７１】
次に、カメラ付き携帯端末装置３は、マスター部であるＢｌｕｅｔｏｏｔｈモジュール２からの圏外データを受信し（ステップＨ３）、このステップＨ３で受信した信号に対する応答である受信完了確認信号をマスター部であるＢｌｕｅｔｏｏｔｈモジュール２に対して送信する（ステップＨ４）。
【０１７２】
カメラ付き携帯端末装置３は、ステップＨ３で得た圏外データに基づき、ＣＰＵ１１で動作するプログラムに従って、無線制御部１３２によって無線部１３１を圏外状態にし、Ｂｌｕｅｔｏｏｔｈ通信のみ可能とする。
【０１７３】
次に、カメラ付き携帯端末装置３は、マスター部であるＢｌｕｅｔｏｏｔｈモジュール２からのカメラロックデータを受信し（ステップＨ５）、ステップＨ５で受信した信号に対する応答である受信完了確認信号をマスター部であるＢｌｕｅｔｏｏｔｈモジュール２に対してへ送信する（ステップＨ６）。
【０１７４】
カメラ付き携帯端末装置３は、ステップＨ５で得たカメラロックデータに基づき、ＣＰＵ１１で動作するプログラムに従って、カメラ制御部１７でカメラ部１８をロックする（ステップＨ７）。
【０１７５】
次に、カメラ付き携帯端末装置３は、マスター部であるＢｌｕｅｔｏｏｔｈモジュール２からの撮影禁止被写体の画像情報、および音声情報等をリアルタイムに受信し（ステップＨ８）、それに対する受信確認信号を送信する（ステップＨ９）。
【０１７６】
カメラ付き携帯端末装置３では、ステップＨ８で得た、画像情報、音声情報をＣＰＵ１１で動作するプログラムに従って、表示部１９で表示し、音源部２０で音声情報を出す。
【０１７７】
スレイブ部であるカメラ付き携帯端末装置３が撮影禁止領域内にいる場合、カメラ付き携帯端末装置３では、繰り返し、マスター部であるＢｌｕｅｔｏｏｔｈモジュール２とカメラロックデータの送受信の通信を行う。
【０１７８】
最後に、図３０に示すように、カメラ付き携帯端末装置３の所有者４が、撮影禁止領域内から出た場合（すなわちカメラ付き携帯端末装置３がＢｌｕｅｔｏｏｔｈ信号到達範囲５の外部に出た場合）、カメラ付き携帯端末装置３が、マスター部であるＢｌｕｅｔｏｏｔｈモジュール２からの撮影禁止領域内進入信号またはカメラロック信号を受信できなくなり、この場合には、無線部１３１を圏外状態にする制御、およびカメラ部１８のロックは解除され、通常のインターネット接続や、通話、カメラ撮影ができるようになる（ステップＨ１０）。
【０１７９】
このように構成することによって、カメラ付き携帯端末装置３の所有者４は、撮影禁止状態のときには、自分がその撮影禁止被写体を撮影することはできないが、その撮影禁止被写体についての許可された情報、たとえばサンプル画像情報、その音声説明情報等を得ることが可能となる。
【０１８０】
【発明の効果】
以上説明したように、本発明によれば、撮影禁止場所におけるカメラ付き携帯端末装置による撮影を防止することができる撮影防止システムを提供することができる。
【０１８１】
また本発明によれば、カメラ付き携帯端末装置が、撮影禁止である被写体の側に置かれたＢｌｕｅｔｏｏｔｈマスター部からのカメラロックデータによってカメラがロックされるため、カメラ付き携帯端末装置は、自動的に、撮影禁止である被写体の撮影を不可能とする制御を行うことができる。
【０１８２】
また本発明によれば、カメラ付き携帯端末装置の位置が、マスター部からのＢｌｕｅｔｏｏｔｈ信号の到達可能な範囲であれば、カメラロック機能を維持することができ、撮影禁止の領域を制御することができるという効果がある。
【０１８３】
また本発明によれば、カメラ付き携帯端末装置の位置が、マスター部からのＢｌｕｅｔｏｏｔｈ信号の到達可能な範囲を越えたとき、カメラのロックを自動的に解除することができるという効果もある。
【図面の簡単な説明】
【図１】本発明による撮影防止システムの第１の実施の形態の構成を示すブロック図である。
【図２】図１に示したカメラ付き携帯端末装置３の構成を示すブロック図である。
【図３】本発明による撮影防止システムの第１の実施の形態の動作のフローチャートを示す図である。
【図４】本発明による撮影防止システムの第１の実施の形態において、カメラ付き携帯端末装置３の所有者４とマスター部であるＢｌｕｅｔｏｏｔｈモジュール２との位置関係を説明する図である。
【図５】本発明による撮影防止システムの第１の実施の形態において、カメラ付き携帯端末装置３の所有者４とマスター部であるＢｌｕｅｔｏｏｔｈモジュール２との位置関係を説明する図である。
【図６】本発明による撮影防止システムの第１の実施の形態において、カメラ付き携帯端末装置３の所有者４とマスター部であるＢｌｕｅｔｏｏｔｈモジュール２との位置関係を説明する図である。
【図７】本発明による撮影防止システムの第２の実施の形態の構成を示すブロック図である。
【図８】図７に示したＢＴ２４およびＢＴ２５の周辺を拡大して示す図である。
【図９】本発明による撮影防止システムの第２の実施の形態の動作のフローチャートを示す図である。
【図１０】本発明による撮影防止システムの第３の実施の形態において、カメラ付き携帯端末装置３の表示部１９の表示内容の一例を示す図である。
【図１１】本発明による撮影防止システムの第３の実施の形態の動作のフローチャートを示す図である。
【図１２】本発明による撮影防止システムの第３の実施の形態において、現在カメラ部１８が使用できない理由を、マスター部であるＢｌｕｅｔｏｏｔｈモジュールから取得する場合の構成を示すブロック図である。
【図１３】本発明による撮影防止システムの第４の実施の形態の構成を示すブロック図である。
【図１４】本発明による撮影防止システムの第４の実施の形態の動作のフローチャートを示す図である。
【図１５】本発明による撮影防止システムの第４の実施の形態において、カメラ付き携帯端末装置６１の所有者６２とマスター部であるＢｌｕｅｔｏｏｔｈモジュール６６との位置関係を説明する図である。
【図１６】本発明による撮影防止システムの第４の実施の形態において、カメラ付き携帯端末装置６１の所有者６２とマスター部であるＢｌｕｅｔｏｏｔｈモジュール６５との位置関係を説明する図である。
【図１７】本発明による撮影防止システムの第４の実施の形態において、部屋７１の出入り口であるドアが複数ある場合を示す図である。
【図１８】本発明による撮影防止システムの第５の実施の形態の構成を示すブロック図である。
【図１９】本発明による撮影防止システムの第５の実施の形態の詳細な構成を示すブロック図である。
【図２０】図１９に示したカメラ付き携帯端末装置９１の構成を示すブロック図である。
【図２１】本発明による撮影防止システムの第５の実施の形態においてカメラ付き携帯端末装置９１とインターネット網との関係を示すブロック図である。
【図２２】本発明による撮影防止システムの第５の実施の形態の動作のフローチャートを示す図である。
【図２３】本発明による撮影防止システムの第６の実施の形態の構成を示すブロック図である。
【図２４】本発明による撮影防止システムの第６の実施の形態の動作のフローチャートを示す図である。
【図２５】本発明による撮影防止システムの第７の実施の形態の動作のフローチャートを示す図である。
【図２６】本発明による撮影防止システムの第８の実施の形態の構成を示すブロック図である。
【図２７】図２６に示したカメラ付き携帯端末装置１４０、１４１の構成を示すブロック図である。
【図２８】本発明による撮影防止システムの第９の実施の形態において、カメラ付き携帯端末装置３の所有者４とマスター部であるＢｌｕｅｔｏｏｔｈモジュール２との位置関係を説明する図である。
【図２９】本発明による撮影防止システムの第９の実施の形態において、カメラ付き携帯端末装置３の所有者４とマスター部であるＢｌｕｅｔｏｏｔｈモジュール２との位置関係を説明する図である。
【図３０】本発明による撮影防止システムの第９の実施の形態において、カメラ付き携帯端末装置３の所有者４とマスター部であるＢｌｕｅｔｏｏｔｈモジュール２との位置関係を説明する図である。
【図３１】本発明による撮影防止システムの第９の実施の形態の動作のフローチャートを示す図である。
【図３２】第９の実施の形態におけるカメラ付き携帯端末装置３の構成を示すブロック図である。
【符号の説明】
１  撮影禁止被写体
２  Ｂｌｕｅｔｏｏｔｈモジュール
３  カメラ付き携帯端末装置
４  所有者
５  Ｂｌｕｅｔｏｏｔｈ信号到達範囲
６  Ｂｌｕｅｔｏｏｔｈ信号
１１  ＣＰＵ
１２  ＲＯＭ
１３  ＲＡＭ
１４  Ｂｌｕｅｔｏｏｔｈモジュール
１５  無線部
１６  デコーダ部
１７  カメラ制御部
１８  カメラ部
１９  表示部
２０  音源部
【図１】
2004328475.tif 000003
【図２】
2004328475.tif 000004
【図３】
2004328475.tif 000005
【図４】
2004328475.tif 000006
【図５】
2004328475.tif 000007
【図６】
2004328475.tif 000008
【図７】
2004328475.tif 000009
【図８】
2004328475.tif 000010
【図９】
2004328475.tif 000011
【図１０】
2004328475.tif 000012
【図１１】
2004328475.tif 000013
【図１２】
2004328475.tif 000014
【図１３】
2004328475.tif 000015
【図１４】
2004328475.tif 000016
【図１５】
2004328475.tif 000017
【図１６】
2004328475.tif 000018
【図１７】
2004328475.tif 000019
【図１８】
2004328475.tif 000020
【図１９】
2004328475.tif 000021
【図２０】
2004328475.tif 000022
【図２１】
2004328475.tif 000023
【図２２】
2004328475.tif 000024
【図２３】
2004328475.tif 000025
【図２４】
2004328475.tif 000026
【図２５】
2004328475.tif 000027
【図２６】
2004328475.tif 000028
【図２７】
2004328475.tif 000029
【図２８】
2004328475.tif 000030
【図２９】
2004328475.tif 000031
【図３０】
2004328475.tif 000032
【図３１】
2004328475.tif 000033
【図３２】
2004328475.tif 000034